(57)【特許請求の範囲】
【請求項１】
股下域と、前記股下域の前方につながる前胴周り域と、前記股下域の後方につながる後胴周り域とを有し、前記前後胴周り域のそれぞれが胴周り開口の周縁部を画成する前縁部と後縁部とのそれぞれを有し、前記股下域から前記前胴周り域と前記後胴周り域とに延びて前記前胴周り域に前端縁を有し前記後胴周り域に後端縁を有する体液吸収性芯材が前記股下域の内面側に位置する透液性シートと前記股下域の外面側に位置する不透液性シートとの間にあり、前記前後胴周り域の内面側は、前記前胴周り域の前記前縁部近傍と前記芯材の前記前端部近傍との間および前記後胴周り域の前記後縁部近傍と前記芯材の前記後端部近傍との間が疎水性シートで覆われていて、前記前後胴周り域のいずれかでは前記疎水性シートの内面の一部分に吸汗性シートが取り付けられている使い捨ておむつにおいて、
前記吸汗性シートが取り付けられている前記疎水性シートは、前記おむつの上下方向において、前記吸汗性シートの上下方向の寸法よりも大きな寸法を有するものであって、前記胴周り開口の周縁部近傍で前記おむつの胴周り方向へ延びる第１上縁と、前記芯材の前記前後端縁いずれかの近傍で前記胴周り方向へ延びる第１下縁と、前記第１下縁を含んで前記胴周り方向へ延びていて前記透液性シートに接合することのない第１非接合領域と、前記第１非接合領域の上方において前記透液性シートに接合する第１接合領域とを有しており、
前記吸汗性シートは、前記疎水性シートの前記第１上縁よりも下方で前記胴周り方向へ延びる第２上縁と、前記疎水性シートの前記第１下縁よりも上方で前記胴周り方向へ延びる第２下縁と、前記第２下縁を含んで前記胴周り方向へ延びていて前記疎水性シートに接合することのない第２非接合領域と、前記第２非接合領域の上方において前記疎水性シートに接合する第２接合領域とを有しており、
前記第１接合領域の下端部分が前記第２接合領域の下端部分よりも下方に位置していることを特徴とする前記使い捨ておむつ。
【請求項２】
前記後胴周り域は、複数条の弾性部材が胴周り方向へ伸長状態で取り付けられていて前記胴周り方向において起伏を繰り返すギャザーを形成可能であり、前記吸汗性シートは、前記第２非接合領域の前記上下方向における寸法が５〜３０ｍｍの範囲にあって、前記第２接合領域に形成される前記ギャザーの幅よりも大きな幅を有するギャザーを前記第２非接合領域に形成可能である請求項１記載の使い捨ておむつ。
【請求項３】
前記吸汗性シートは、前記第２上縁を含んで前記胴周り方向へ延びていて前記疎水性シートに接合することのない第３非接合領域を有し、前記第３非接合領域の前記上下方向における寸法が５〜３０ｍｍの範囲にあって、前記第２接合領域における前記ギャザーの幅よりも大きな幅を有するギャザーを前記第３非接合領域に形成可能である請求項２記載の使い捨ておむつ。
【請求項４】
前記疎水性シートにおける前記第１非接合領域は、前記上下方向の寸法が２〜２０ｍｍの範囲にあって、前記第１上縁に向かって折り返されても前記吸汗性シートに重なることがない請求項１〜３のいずれかに記載の使い捨ておむつ。
【発明の詳細な説明】
【技術分野】
【０００１】
この発明は、使い捨ておむつに関し、より詳しくは吸汗性シートを有する使い捨ておむつに関する。
【背景技術】
【０００２】
従来、使い捨ておむつにおいて、おむつ着用者の肌に当接するおむつ内面の一部分が吸汗性シートによって形成されているものは公知である。例えば、特開２００４−３５８０９９号公報（特許文献１）に記載された発明におけるおむつは、前胴周り域と後胴周り域とに、吸収体の端縁から延出するエンドフラップを有し、そのエンドフラップの内面が撥水性不織布で形成されていて、その撥水性不織布には、それとは別体の吸汗性シートが接合している。着用した状態にあるおむつの上下方向において、撥水性不織布の下端部は吸収体を覆う液透過性表面シートにおむつの内側から重なっている。
【特許文献１】特開２００４−３５８０９９号公報
【発明の開示】
【発明が解決しようとする課題】
【０００３】
使い捨ておむつに使用されている吸汗性シートは、汗を吸収して湿潤状態になると、汗をかいている肌に密着し、着用したおむつに対して相対的に肌が上下方向へ動くと、その肌とともに吸汗性シートも上下方向へ動こうとする。しかも、特許文献１に記載の如きおむつでは、吸汗性シートがそのように動こうとすると、吸汗性シートが接合している撥水性シートもそれと一緒に動こうとする。そうしたときに、表面シートに対する撥水性シートの接合状態の如何によっては、撥水性シートの下端部分がおむつの上方に向かって折り返されて、吸汗性シートの下端部分を覆ってしまうことがある。その結果として、肌に当接する吸汗性シートの面積が実質的に減少して、吸汗性シートは、それに当初予定されていた吸汗性能を発揮できなくなる。
【０００４】
この発明が課題とするところは、おむつ内面側に設けられている吸汗性シートが、おむつ着用中に吸汗性シートとしての機能を損なうということがないように、吸汗性シートを有する従来のおむつに対して改良を施すことにある。
【課題を解決するための手段】
【０００５】
前記課題を解決するために、この発明が対象とするのは、股下域と、前記股下域の前方につながる前胴周り域と、前記股下域の後方につながる後胴周り域とを有し、前記前後胴周り域のそれぞれが胴周り開口の周縁部を画成する前縁部と後縁部とのそれぞれを有し、前記股下域から前記前胴周り域と前記後胴周り域とに延びて前記前胴周り域に前端縁を有し前記後胴周り域に後端縁を有する体液吸収性芯材が前記股下域の内面側に位置する透液性シートと前記股下域の外面側に位置する不透液性シートとの間にあり、前記前後胴周り域の内面側は、前記前胴周り域の前記前縁部近傍と前記芯材の前記前端部近傍との間および前記後胴周り域の前記後縁部近傍と前記芯材の前記後端部近傍との間が疎水性シートで覆われていて、前記前後胴周り域のいずれかでは前記疎水性シートの内面の一部分に吸汗性シートが取り付けられている使い捨ておむつである。
【０００６】
かかるおむつにおいて、この発明が特徴とするところは次のとおりである。前記吸汗性シートが取り付けられている前記疎水性シートは、前記おむつの上下方向において、前記吸汗性シートの上下方向の寸法よりも大きな寸法を有するものであって、前記胴周り開口の周縁部近傍で前記おむつの胴周り方向へ延びる第１上縁と、前記芯材の前記前後端縁いずれかの近傍で前記胴周り方向へ延びる第１下縁と、前記第１下縁を含んで前記胴周り方向へ延びていて前記透液性シートに接合することのない第１非接合領域と、前記第１非接合領域の上方において前記透液性シートに接合する第１接合領域とを有している。前記吸汗性シートは、前記疎水性シートの前記第１上縁よりも下方で前記胴周り方向へ延びる第２上縁と、前記疎水性シートの前記第１下縁よりも上方で前記胴周り方向へ延びる第２下縁と、前記第２下縁を含んで前記胴周り方向へ延びていて前記疎水性シートに接合することのない第２非接合領域と、前記第２非接合領域の上方において前記疎水性シートに接合する第２接合領域とを有している。前記第１接合領域の下端部分は、前記第２接合領域の下端部分よりも下方に位置している。
【０００７】
この発明の好ましい実施態様の一つにおいて、前記後胴周り域は、複数条の弾性部材が胴周り方向へ伸長状態で取り付けられていて前記胴周り方向において起伏を繰り返すギャザーを形成可能であり、前記吸汗性シートは、前記第２非接合領域の前記上下方向における寸法が５〜３０ｍｍの範囲にあって、前記第２接合領域に形成される前記ギャザーの幅よりも大きな幅を有するギャザーを前記第２非接合領域に形成可能である。
【０００８】
この発明の好ましい実施態様の一つにおいて、前記吸汗性シートは、前記第２上縁を含んで前記胴周り方向へ延びていて前記疎水性シートに接合することのない第３非接合領域を有し、前記第３非接合領域の前記上下方向における寸法が５〜３０ｍｍの範囲にあって、前記第２接合領域における前記ギャザーの幅よりも大きな幅を有するギャザーを前記第３非接合領域に形成可能である。
【０００９】
この発明の好ましい実施態様の他の一つにおいて、前記疎水性シートにおける前記第１非接合領域は、前記上下方向の寸法が２〜２０ｍｍの範囲にあって、前記第１上縁に向かって折り返されても前記吸汗性シートに重なることがない。
【発明の効果】
【００１０】
この発明に係る使い捨ておむつでは、前後胴周り域いずれかの内面側を覆う疎水性シートに吸汗性シートが取り付けられており、その疎水性シートは、第１下縁を含んで胴周り方向へ延びている第１非接合領域と、第１非接合領域の上方にある第１接合領域とを有し、第１非接合領域には体液吸収性芯材を覆う透液性表面シートに重なってはいるが接合しておらず、第１接合領域はその透液性表面シートに接合している。一方、吸汗性シートが疎水性シートに接合している第２接合領域は、第１非接合領域の上方に形成されているから、おむつの着用中に疎水性シートの第１非接合領域がおむつの上方に向かってめくれることがあっても、そのことによって吸汗性シートがめくれて吸汗性シートとしての機能を損なうということがない。
【００１１】
吸汗性シートの第２非接合領域または第３非接合領域に、第２接合領域に形成されるギャザーのピッチよりも大きなピッチを有するギャザーが形成可能なこの発明のおむつでは、そのギャザーに含まれる吸汗性シートの第２下縁または第２上縁がおむつ着用者の背中等のくぼみに入り、そのくぼみの中の汗を吸収することができる。
【００１２】
疎水性シートにおける第１非接合領域が疎水性シートの第１上縁に向かって折り返されても吸汗性シートに重なることのない態様のこの発明のおむつでは、折り返された第１非接合領域によって吸汗性シートが覆われるということがないから、おむつの着用中に吸汗性シートの面積が実質的に減少ということがなく、吸汗性シートはその機能を維持することができる。
【発明を実施するための最良の形態】
【００１３】
パンツ型の使い捨ておむつを例にとり、添付の図面を参照して、この発明の詳細を説明すると、以下のとおりである。
【００１４】
図１は、この発明に係る使い捨ておむつ１の部分破断斜視図である。おむつ１は、ホットメルト接着剤（図示せず）を介して互いに重なり合って接合する疎水性の内面シート２と疎水性の外面シート３とがパンツ型を形成しているものであって、股下域６と、股下域６の前方につながる前胴周り域７と、股下域６の後方につながる後胴周り域８とを有し、前後胴周り域７，８の側縁部分７ａ，８ａどうしが合掌状に重なり合い、図の上下方向へ間欠的に並ぶ接合領域９において互いに溶着していて、胴周り開口１１と一対の脚周り開口１２とが形成されている。胴周り開口１１の周縁部近傍では、内外面シート２，３の間にあって胴周り方向へ延びる複数条の胴周り弾性部材１３が内外面シート２，３の少なくとも一方に伸長状態で接合しており、脚周り開口１２の周縁部近傍では内外面シート２，３の間にあって脚周り方向へ延びる複数条の脚周り弾性部材１４が内外面シート２，３の少なくとも一方に伸長状態で接合している。さらに、胴周り開口１１における周縁部のうちの前縁部７ｂおよび後縁部８ｂと脚周り開口１２の周縁との間には、胴周り弾性部材１３に平行して胴周り方向へ延びる複数条の補助胴周り弾性部材１６が内外面シート２，３の少なくとも一方に伸長状態で接合している。内外面シート２，３の間にはまた不透液性の防漏シート１７が介在し、その防漏シート１７が股下域６から前胴周り域７と後胴周り域８とに向かって延びている。
【００１５】
図２は、図１のおむつ１の前後胴周り域７，８を接合領域９において剥離し、おむつ１の全体を双頭矢印Ｘで示す幅方向と、双頭矢印Ｘに直交する双頭矢印Ｙで示す前後方向とに伸展したときのおむつ１ａの部分破断平面図であって、図にはそのおむつ１ａの内面側が示されている。おむつ１ａは、幅方向Ｘの中央部に体液吸収部３０を有する。その体液吸収部３０は、粉砕パルプや粉砕パルプと高吸水性ポリマー粒子との混合物等の吸液性材料３１がティッシュペーパ３２と３３とでサンドウィッチ状に被覆してあるパネル状の体液吸収性芯材３４の内面側を透液性で親水性の表面シート３６で覆う一方、芯材３４の外面側を防漏シート１７に向けて、吸液性材料３１を透液性シートと不透液性シートとで挟むことにより形成されている。なお、図示例では、芯材３４と防漏シート１７との間に内面シート２が介在している。かような芯材３４は、股下域６から前後胴周り域７，８それぞれに向かって延びる両側縁４３と、胴周り方向へ延びる前端縁４１と、胴周り方向へ延びる後端縁４２とを有する。前後胴周り域７，８のそれぞれでは、図１において胴周り開口１１の周縁部を形成している前縁部７ｂと後縁部８ｂとが図２では幅方向Ｘへ延びている。図１において砂時計型を呈している外面シート３は、前縁部７ｂにおいておむつ１の内側へ折り返されている前方折り返し部４６と、後縁部８ｂにおいておむつ１の内側へ折り返されている後方折り返し部４７とを有する。これら両折り返し部４６，４７のそれぞれは、図１のおむつ１で見ると、胴周り開口１１の前縁部７ｂと後縁部８ｂとのそれぞれから下方に向かって延びる部分であって、その延びた先端のそれぞれは前方下縁４６ａと後方下縁４７ａとになり、前縁部７ｂと後縁部８ｂとのそれぞれは、両折り返し部４６，４７それぞれの前方上縁４６ｂと後方上縁４７ｂとを形成する。前方折り返し部４６は、表面シート３６を介して芯材３４の前端縁４１の近傍を覆っており、後方折り返し部４７は、表面シート３６を介して芯材３４の後端縁４２の近傍を覆っている。この後方折り返し部４７は、その内面側に吸汗性シート５１が取り付けられている。
【００１６】
図２において、前方折り返し部４６は、ホットメルト接着剤等の接着剤５２（図３を併せて参照）を介して内面シート２と表面シート３６とに接合している前方接合領域５３を有するとともに、前方下縁４６ａを含んで幅方向Ｘへ延びており内面シート２にも表面シート３６にも接合していない前方非接合領域５５を有する。また、後方折り返し部４７は、接着剤５２を介して内面シート２と表面シート３６とに接合している後方接合領域５４を有するとともに、後方下縁４７ａを含んで幅方向Ｘへ延びており内面シート２にも表面シート３６にも接合していない後方非接合領域５６を有する。好ましい前方および後方非接合領域５５，５６は、図１のおむつ１における上下方向の寸法が２〜２０ｍｍの範囲にある。かような前方折り返し部４６と後方折り返し部４７とは、図示例において疎水性の外面シート３によって形成されているように、疎水性のシート材料で形成されることによって、体液吸収部３０に吸収された体液が前後胴周り域７，８において体液吸収部３０から滲み出て肌に触れることを防いでいる。
【００１７】
吸汗性シート５１は、幅方向Ｘにおいて、体液吸収部３０の両側縁４３を越えて延びるように作られるもので、図２では、内面シート２の側縁部分８ａにまで延びる例が示されている。この吸汗性シート５１はまた、後方折り返し部４７の後方下縁４７ａにほぼ平行する下縁５０ａと上縁５０ｂとを有する。これら下縁５０ａと上縁５０ｂとの間の寸法Ｍは、後方折り返し部４７における上下方向の寸法Ｎ、即ち後方下縁４７ａと後方上縁４７ｂとの間の寸法Ｎよりも小さい。かような吸汗性シート５１は、例えば１〜２０個／ｃｍ２の割合の小さなドットとして塗布されたホットメルト接着剤等の接着剤５７（図３を併せて参照）を介して後方折り返し部４７の内面、即ち後方折り返し部４７における肌当接面に接合している接合領域６１を有し、この接合領域６１は、おむつ１の上下方向において、吸汗性シート５１の中央部分に位置している。吸汗性シート５１はさらに、下縁５０ａを含んでいて下縁５０ａと接合領域６１との間の寸法がＤであって後方折り返し部４７に接合することのない下方非接合領域６２と、上縁５０ｂを含んでいて上縁５０ｂと接合領域６１との間の寸法がＥであって後方折り返し部４７に接合することのない上方非接合領域６３とを有する。
【００１８】
図３は、図２のＩＩＩ−ＩＩＩ線切断面を示す図である。図２，３から明らかなように、吸汗性シート５１における下方非接合領域６２は、後方折り返し部４７における後方非接合領域５６よりも右方に、換言すると、図１のおむつ１において、下方非接合領域６２は後方非接合領域５６よりも上方に形成されている。それゆえ、おむつ１の着用中に、後方折り返し部４７の後方非接合領域５６が仮想線５６ａで示されるようにめくれても、それによって吸汗性シート５１もめくれるということがない。また、吸汗性シート５１の下方非接合領域６２が仮想線６２ａで示される如くめくれても、それによって後方折り返し部４７がめくれるということもない。下方非接合領域６２と後方非接合領域５６とがこのような態様で形成されることは、次の場合と比較しても好ましい。即ち、後胴周り域８の上下方向において、接合領域６１が後方接合領域５４を越えて下方へ延びていて、湿潤状態になって肌に強く密着した吸汗性シート５１の下方非接合領域６２がその肌とともにおむつ１に対して相対的に上方向へ動くと、後方折り返し部４７の後方非接合領域５６が吸汗性シート５１と一緒に上方に向かってめくれてしまい、後方折り返し部４７にそれを後方接合領域５４において表面シート３６から剥しかねない強い剥離力が作用する場合である。図２の態様の後方折り返し部４７と吸汗性シート５１とであれば、そのような剥離力の発生を回避することができる。
【００１９】
図３の好ましい実施態様においてはまた、後胴周り域８の後方折り返し部４７は、後方非接合領域５６が仮想線５６ａの如くめくれても、吸汗性シート５１を多少にせよ覆うことがないように、後方非接合領域５６の寸法Ｆ、即ち後方折り返し部４７の後方下縁４７ａから後方接合領域５４の下端までの寸法Ｆが後方接合領域５４の下端から吸汗性シート５１の下縁５０ａまでの寸法Ｊよりも小さくなっている。おむつ１が乳幼児用のものであるか大人用のものであるかにもよるが、後方折り返し部４７の後方非接合領域５６の寸法Ｆは、通常２〜２０ｍｍであることが好ましい。そのような後方非接合領域５６は、後方下縁４７ａが肌に柔らかく接触することを可能にする。また、吸汗性シート５１における下方非接合領域６２と上方非接合領域６３との上下方向の寸法Ｄ，Ｅは、２〜３０ｍｍであることが好ましく、５〜３０ｍｍであることがさらに好ましい。胴周り弾性部材１３や補助胴周り弾性部材１６が収縮すると、前胴周り域７や後胴周り域８には胴周り方向において起伏を繰り返す幅の小さいギャザー９０ａが生じ、後胴周り域８にある吸汗性シート５１の接合領域６１にも幅の小さいギャザー９０ａが生じるが（図１参照）、後胴周り域８の内面側に直接的には接合していない下方非接合領域６２と上方非接合領域６３とには、両弾性部材１３，１６の収縮の影響が及び難く、接合領域６１のギャザー９０ａの幅よりも大きな幅を有していて丈の高いギャザー９０ｂ（図１参照）が生じる。そのようなギャザー９０ｂは、おむつ着用者の背骨に沿って形成されるくぼみの奥にまで進入して、小さなギャザー９０ａが届かないような深いところの汗を吸収することができる。吸汗性シート５１において、下方非接合領域６２と上方非接合領域６３との寸法ＤとＥとは、それらの値を同じにすることもできれば、どちらか一方の値を他方の値よりも大きくすることもできる。
【００２０】
図３においてはまた、体液吸収部３０の吸液性材料３１の右端部（図２における上端部）から図の右方へ延出しているティッシュペーパ３２，３３と表面シート３６とが重なり合いホットメルト接着剤（図示せず）を介して互いに接合するとともに、ティッシュペーパ３３は内面シート２に対しても接合している。
【００２１】
図４は、図２のＩＶ−ＩＶ線切断面を示す図である。おむつ１ａの股下域６において、内面シート２と、外面シート３と、これらの間に介在する防漏シート１７とが重なり、これらシート２，３，１７がホットメルト接着剤（図示せず）を介して互いに接合している。内面シート２と外面シート３との側縁部どうしの間には、脚周り弾性部材１４が介在している。体液吸収部３０では、芯材３４の内面と側面と外面の一部分とが表面シート３６によって被覆されていて、接し合う表面シート３６とティッシュペーパ３２，３３とがホットメルト接着剤（図示せず）を介して接合している。
【００２２】
かようなおむつ１において、内面シート２と外面シート３とには、熱可塑性合成繊維からなる不織布や熱可塑性合成樹脂からなるフィルム等であって、疎水性のシート材料が使用される。防漏シート１７には、熱可塑性合成樹脂からなるフィルム等の不透液性シート材料が使用される。表面シート３６には、熱可塑性合成繊維からなる不織布や熱可塑性合成樹脂からなる開孔フィルム等の透液性シート材料が、必要に応じて親水化処理して使用される。吸汗性シート５１には、周知ないし公知のものの使用が可能であるが、後記図５に例示の吸汗性シート５１は、清涼感のあるおむつ１を得るうえにおいて特に好ましいものの一例である。
【００２３】
図５は、この発明において使用可能な吸汗性シート５１の断面図である。吸汗性シート５１は、上面層７２と、下面層７３と、これら両面層７２，７３の間に介在する中間層７４とを有する。上面層７２と下面層７３とは、熱可塑性合成樹脂によって形成された第１、第２疎水性繊維８１，８２を主体とする層であって、疎水性繊維８１，８２に比して少量の第１、第２親水性繊維９１，９２が混在している。中間層７４は、第３親水性繊維９３を主体とする層であって、ここには、第１、第２疎水性繊維８１，８２や第１、第２親水性繊維９１，９２が進入していることがある。図では、中間層７４に進入した第１、第２疎水性繊維が参照符号８１ａ，８２ａで示され、第１、第２親水性繊維が９１ａ，９２ａで示されている。上下面層７２，７３と中間層７４、およびこれら各層どうしの間にはまた、捲縮した疎水性の複合繊維８５が介在している。吸汗性シート５１を形成しているこれらの繊維８１，８２，９１，９２，９３は、互いに機械的に交絡している他に、複合繊維８５と接触する部位のうちの多くにおいて、複合繊維８５が溶融することによって互いに接合している。なお、図では、親水性繊維の太さを疎水性繊維の太さよりも太くして示すことによって、親水性繊維と疎水性繊維とが区別されている。
【００２４】
第１、第２、第３親水性繊維９１，９２，９３には、肌に汗をかいたときに増殖してあせもやかぶれの原因となる菌に対しての抗菌作用および殺菌作用のいずれかを有する薬剤成分（図示せず）が付着している。薬剤成分は、第１、第２疎水性繊維８１，８２に付着していることもあるが、好ましい吸汗性シート５１では、それに含まれる薬剤成分のほとんどが第１、第２、第３親水性繊維９１，９２，９３に付着している。
【００２５】
このように形成されている吸汗性シート５１は、例えば図の上面層７２を肌に当てると、その肌の汗を上面層７２における第１親水性繊維９１で吸い取ることができる。汗は中間層７４に向かって浸透、拡散し、中間層７４における第３親水性繊維９３に保持される。そのように保持された汗は、上面層７２における第１疎水性繊維８１の存在によって肌に触れることを妨げられるので、肌には汗をかいたことによる湿潤感がなくなり、清涼感がもたらされる。また、汗を含んだ第３親水性繊維９３には薬剤成分が付着しているから、その汗の存在によって増殖し易い菌、例えば表皮ブドウ状球菌等の増殖が抑えられ、この菌が原因となり得るあせもの発生も抑えられる。そのような薬剤成分は、例えばアルキルピリジニウム塩、アルキルトリメチルアンモニウム塩、アルキルベンジルジメチルアンモニウム塩（塩化ベンザルコニウム）、ジアルキルジメチルアンモニウム塩、塩化ベンゼトニウムの群からなる第４級アンモニウム塩から選ぶことができる。また、その薬剤成分は、カテキン等との混合物にすることもできる。
【００２６】
吸汗性シート５１における上面層７２を形成する第１疎水性繊維８１にはポリエステル、ポリプロピレン、ナイロン等の熱可塑性合成樹脂からなるものであって、好ましくはポリエチレンよりも融点が高く、繊維長が少なくとも３０ｍｍ、繊度が０．１〜５ｄｔｅｘのものが使用される。上面層７２を形成する第１親水性繊維９１にはレーヨン、コットン、パルプ等の親水性繊維であって、好ましくは繊維長が少なくとも３０ｍｍのものが使用される。下面層７３を形成する第２疎水性繊維８２と第２親水性繊維９２とには、上面層７２におけるものと同様なものが使用可能である。ただし、上面層７２と下面層７３とは、同一の繊維で形成されなければならないというものではない。中間層７４における第３親水性繊維９３にはレーヨン、コットン、パルプ等の親水性繊維が使用される。中間層７４は、上面層７２と下面層７３とに挟まれているので、それに繊維長が５ｍｍ以下のパルプ繊維を使用しても、その繊維が吸汗性シート５１の外へ出るという恐れはない。それゆえ、レーヨンに比べて単価の低いパルプを使用することによって吸汗性シート５１の製造原価を低く抑えることが可能になる。吸汗性シート５１の各層に含まれている捲縮した複合繊維８５には、例えばポリエチレンを鞘とし、ポリプロピレンを芯とする複合繊維が吸汗性シート５１の総重量に対して５〜２０重量％の割合で使用される。複合繊維８５は、これと接触する第１疎水性繊維８１や第２疎水性繊維８２に対してポリエチレンで形成された鞘成分が溶着することによって、吸汗性シート５１の吸汗前後における形状を一定に保つように作用する。例えば、吸汗前の吸汗性シート５１では、それが製造されてから使用されるまでの間において、シートの組織が崩れたり、シートが毛羽立ったりすることを複合繊維８５が防いでいる。また吸汗後の吸汗性シート５１では、汗を吸った第１、第２、第３親水性繊維９１，９２，９３の見かけの体積が大きくなる傾向にあるが、そのような場合でも吸汗性シート５１がほぼ一定の厚さを保つことができたり、吸汗性シート５１の組織が崩れたりすることがないように複合繊維８５が作用している。吸汗後に吸汗性シート５１の組織が崩れることは、湿潤状態にある第３親水性繊維９３が肌に触れることになりかねないので、好ましいことではない。
【００２７】
この発明に係る発明者が知見したところによれば、３人の２歳児が従来のおむつを着用して３３±１℃、７５±５％ＲＨの室内で３時間過ごしたときの腰部における発汗量を（株）スキノス（愛知県名古屋市）製造の発汗計ＳＫＤ−１０００によって測定したところ、肌の表面積１ｍ２当たりの平均的発汗量は１９２ｇ／ｈｒであった。２〜３歳児の使い捨ておむつ着用時間は、通常３時間程度であるから、吸汗性シート５１としては、１時間当たりの平均的発汗量の少なくとも３倍程度の吸汗能力、即ち５５０〜５７０ｇ／ｍ２・ｈｒ程度の能力を有していることが好ましい。例えば、図５において、第１疎水性繊維８１として８．４ｇ／ｍ２のポリエステル繊維、第２疎水性繊維８２として４．９ｇ／m２のポリエステル繊維、第１親水性繊維９１として３．６ｇ／ｍ２のレーヨン繊維、第２親水性繊維９２として４．９ｇ／ｍ２のレーヨン繊維、第３親水性繊維９３として１２ｇ／ｍ２のパルプ繊維、複合繊維８５としてはポリプロピレンを芯としポリエチレンを鞘とする４．２ｇ／ｍ２の複合繊維を使用して、坪量３８ｇ／ｍ２のウエブを得て、このウエブに塩化セチルピリジニウムとカテキンとを付着させて得られた厚さ０．５ｍｍの吸汗性シート５１は、３分間浸水後に５分間乾燥して測定したときの吸水量が約７０５ｇ／ｍ２であって、３時間以上着用するおむつ１であっても、肌の表面積１ｍ２当たりについて十分な吸汗量を有している。この吸汗性シート５１を５５×２８５ｍｍ程度の大きさにして幼児用のおむつ１に取り付け、そのおむつ１を２歳の幼児に３時間着用させてみたところ、幼児の肌には吸汗性シート５１が当接している部位に汗の存在が認められなかった。
【００２８】
図６は、この発明の実施態様の一例を示す図２と同様な図であって、図２の各部位に対応する部位が図２における参照符号に１００を加えて示されている。図６のおむつ１０１ａでは、砂時計型に形成された透液性表面シート１３６と不透液性外面シート１０３との間に吸液性材料１３１をティッシュペーパ１３２，１３３で被覆することにより形成された芯材１３４が介在している。前胴周り域１０７と後胴周り域１０８とでは、図２における前方折り返し部４６と後方折り返し部４７とに代わり、外面シート１０３とは別体であって疎水性の前方シート片１４６と後方シート片１４７とがホットメルト接着剤１５２を介して表面シート１３６に接合している。また、これら前方および後方シート片１４６，１４７の内面には前方吸汗性シート１５１ａと後方吸汗性シート１５１ｂとがホットメルト接着剤１５７を介して接合している。前方吸汗性シート１５１ａと後方吸汗性シート１５１ｂとのそれぞれは、前方シート片１４６と後方シート片１４７とのそれぞれに対する前方および後方の接合領域１６１ａ，１６１ｂと、下方非接合領域１６２ａ，１６２ｂと、上方非接合領域１６３ａ，１６３ｂとのそれぞれを有する。前方および後方の接合領域１６１ａ，１６１ｂのそれぞれは、おむつ１０１ａがパンツ型のおむつ１に組み立てられると、前方シート片１４６および後方シート片１４７それぞれにおける前方非接合領域１５６ａおよび後方非接合領域１５６ｂのそれぞれよりも上方に来るように形成されている。かような図６のおむつ１０１ａでは、前胴周り域１０７と後胴周り域１０８とにおける前方シート片１４６と後方シート片１４７とが、図１のおむつ１における後方折り返し部４７と同様に作用する。
【００２９】
図７は、この発明の実施態様の一例を示す図６と同様な図である。図７のおむつ１０１ａでは、後方吸汗性シート１５１ｂが複数条の互いに平行なストライプ１７１として塗布されたホットメルト接着剤１５７ｂを介して後方シート片１４７に接合している。ストライプ１７１の幅は、０．５〜２ｍｍの範囲にあり、ストライプ１７１どうしは２〜２０ｍｍ、より好ましくは５〜１０ｍｍ離間している。後方吸汗性シート１５１ｂは、複数条のストライプ１７１によって形成される後方接合領域１６１ｂと、複数条のストライプ１７１の上方に形成される上方非接合領域１６２ａと、複数条のストライプ１７１の下方に形成される下方非接合領域１６２ｂとを有する。このおむつ１０１ａでは、後胴周り域１０８において胴周り弾性部材１１３と胴周り補助弾性部材１１６とが収縮すると、吸汗性シート１４７は、隣り合うストライプ１７１どうしの間の部分がおむつ１０１ａの内側に向かって半円筒状に隆起しているギャザーを形成することができる。このような吸汗性シート１４７は、上方非接合領域１６２ａや下方非接合領域１６２ｂに形成されるギャザーばかりでなく、後方接合領域１６１ｂに形成されるギャザーも、おむつ着用者の背中のくぼみに入れ易いものになる。また、半円筒状に隆起しているギャザーは、おむつ１０１ａと肌との間に上下方向へ延びておむつ１０１ａの外に通じる通気路を形成することができる。なお、図７のおむつ１０１ａにおいて、前方吸汗性シート１５１ａは、図６の場合と同様に複数のドットとして塗布されたホットメルト接着剤１５７ａを介して前方シート片１４６に接合している。
【００３０】
図示例では、パンツ型のおむつを分解した後に伸展してこの発明を説明したが、この発明は、パンツ型ではなくて開放型のおむつで実施することも可能である。また、この発明において、吸汗性シートは前後胴周り域のいずれにも取り付けることができる。
【産業上の利用可能性】
【００３１】
この発明によれば、おむつ着用中に吸汗性シートの表面積が実質的に減少するということのない使い捨ておむつの製造が可能になる。
【図面の簡単な説明】
【００３２】
【図１】おむつの部分破断斜視図。
【図２】図１のおむつを分解し、伸展した状態で示す図。
【図３】図２のＩＩＩ−ＩＩＩ線切断面を示す図。
【図４】図２のＩＶ−ＩＶ線切断面を示す図。
【図５】吸汗性シートの一例を示す断面図。
【図６】実施態様の一例を示す図２と同様な図。
【図７】実施態様の一例を示す図６と同様な図。
【符号の説明】
【００３３】
１    おむつ
６    股下域
７    前胴周り域
７ｂ    前縁部
８    後胴周り域
８ｂ    後縁部
１７    不透液性シート（防漏シート）
３４    芯材
３６    透液性シート（表面シート）
４１    前端縁
４２    後端縁
４６    疎水性シート（折り返し部）
４７    疎水性シート（折り返し部）
４７ａ    第１下縁
４７ｂ    第１上縁
５０ａ    第２下縁
５０ｂ    第２上縁
５１    吸汗性シート
５４    第１接合領域（後方接合領域）
５６    第１非接合領域（後方非接合領域）
６１    第２接合領域
６２    第２非接合領域
１３４    芯材
１３６    透液性シート（表面シート）
１４６    疎水性シート（折り返し部）
１４７    疎水性シート（折り返し部）
１５１ａ    吸汗性シート
１５１ｂ    吸汗性シート
１５６ａ    第１非接合領域（前方非接合領域）
１５６ｂ    第１接合領域（後方接合領域）
１６１ａ，１６１ｂ    第２接合領域
１６２ａ，１６２ｂ    第２非接合領域
１６３ａ，１６３ｂ    第３非接合領域
【図１】
0004818757.tif 000002
【図２】
0004818757.tif 000003
【図３】
0004818757.tif 000004
【図４】
0004818757.tif 000005
【図５】
0004818757.tif 000006
【図６】
0004818757.tif 000007
【図７】
0004818757.tif 000008